(57)【要約】【課題】丁合い前のみならず丁合い後においても、所定の帳票が過不足なく正しい順序で揃っているか否かを容易に判別できる帳票の丁合物を提供する。【解決手段】帳票の丁合物１０は、天端部１１ａ，天端部１１ａに設けられている表出領域１１ｂ，表出領域１１ｂに表示されていて帳票１１の属性を示す識別情報１１ｃ，折り返し線１１ｄ１〜１１ｄ３等を有している帳票１１と、帳票１１と同様に、天端部１２ａ，表出領域１２ｂ，識別情報１２ｃ，折り返し線１２ｄ１〜１２ｄ３等を有している帳票１２と、天端部１３ａ，表出領域１３ｂ，識別情報１３ｃ，折り返し線１３ｄ１〜１３ｄ３等を有している帳票１３等とを１セットとして備えており、天端部１１ａ〜１３ａの位置をずらして表出領域１１ｂ〜１３ｂを表出させた状態で帳票１１〜１３が重ねられ、識別情報１２ａ〜１２ｃが、各帳票１１〜１３の最表面で揃って表出している。【選択図】図１
2006056141.tif 000002
【特許請求の範囲】
【請求項１】
第１の表出領域が設けられている第１の端部を有している第１の帳票と、
第２の表出領域が設けられている第２の端部を有し、前記第２の表出領域が表出する位置まで前記第２の端部を前記第１の端部からずらし、前記第１の帳票に重ねられている第２の帳票と、
前記第１の表出領域に設けられ、前記第１の帳票の属性を示している第１の識別情報と、
前記第２の表出領域に設けられ、前記第１の識別情報とともに表出し、前記第２の帳票の属性を示している第２の識別情報と、
を含む帳票の丁合物。
【請求項２】
請求項１に記載の帳票の丁合物において、
前記第１及び前記第２の帳票は、前記第２の端部から所定の長さの折り畳み範囲内で１回又は複数回折り返され、前記第１及び前記第２の識別情報が最表面又は最裏面に表出していること、
を特徴とする帳票の丁合物。
【請求項３】
請求項１又は請求項２に記載の帳票の丁合物において、
前記第１の帳票と前記第２の帳票とを固定する固定手段を有すること、
を特徴とする帳票の丁合物。
【請求項４】
請求項３に記載の帳票の丁合物において、
前記第１の帳票及び／又は前記第２の帳票は、
前記固定手段が形成される帳票固定領域と、
前記第１及び／又は前記第２の帳票から前記帳票固定領域を除いた領域である帳票本体領域と、
前記帳票固定領域と前記帳票本体領域とを分離する分離予定線とを有すること、
を特徴とする帳票の丁合物。
【請求項５】
請求項４に記載の帳票の丁合物において、
前記帳票固定領域は、前記第１及び前記第２の端部以外のいずれかの端部に同一の位置で重なっていること、
を特徴とする帳票の丁合物。
【請求項６】
第１の表出領域を有している第１の帳票及び第２の表出領域を有していて前記第１の帳票と丁合いする第２の帳票をこの順に搬送する帳票搬送手段と、
前記帳票搬送手段で搬送されている前記第１の帳票を、第１の停止位置で一旦停止させる第１の帳票停止手段と、
前記丁合い時に前記第１及び前記第２の表出領域が表出する位置まで前記第１の帳票を移動させ、前記第１の停止位置と別の第２の停止位置に停止させる停止位置移動手段と、
前記帳票搬送手段で搬送されている前記第２の帳票を前記第１の帳票に重ねて前記第１の停止位置で停止させる第２の帳票停止手段と、
を含む帳票の丁合物の作製装置。
【請求項７】
請求項６に記載の帳票の丁合い装置において、
前記第１又は前記第２の停止手段で停止させられている前記第１及び前記第２の帳票を、前記第２の端部から所定の長さの折り畳み範囲内で１回又は複数回折り返し、前記第１及び前記第２の表出領域を最表面又は最裏面に表出させる折り返し手段を含むこと、
を特徴とする帳票の丁合物の作製装置。
【請求項８】
第１の表出領域を有している第１の帳票と第２の表出領域を有していて前記第１の帳票と丁合いする第２の帳票とをこの順に搬送する帳票搬送手段と、
前記帳票搬送手段で搬送されている前記第１及び前記第２の帳票を、前記丁合い時に前記第１及び前記第２の表出領域が表出する位置で、それぞれ折り畳み幅の間隔を可変に１回又は複数回折り返す折り返し手段と、
前記折り返し手段で折り返された前記第１の帳票を、第１の停止位置で一旦停止させる第１の帳票停止手段と、
前記第１の停止位置から、前記丁合い時に前記第１及び前記第２の表出領域が表出する第２の停止位置まで、前記第１の帳票停止手段が移動する停止位置移動手段と、
前記折り返し手段で折り返された前記第２の帳票を、前記第１の帳票に重ねて前記第２の停止位置で停止させる第２の帳票停止手段と、
を含む帳票の丁合物の作製装置。
【請求項９】
請求項６から請求項８までのいずれか１項に記載の帳票の丁合い装置において、
位置可変に移動し、前記第１及び／又は前記第２の停止位置で、前記第１の帳票と前記第２の帳票とを固定する固定手段を含むこと、
を特徴とする帳票の丁合物の作製装置。
【請求項１０】
第１の帳票が有している第１の端部と第２の帳票が有している第２の端部との距離を離し、前記第１の端部に設けられている第１の表出領域と前記第２の端部に設けられている第２の表出領域とを同一側の面に表出させて前記第１の帳票と前記第２の帳票とを重ね、前記第１の表出領域に設けられていて前記第１の帳票の属性を示している第１の識別情報と前記第２の表出領域に設けられていて前記第２の帳票の属性を示している第２の識別情報とを表出させる集積工程と、
前記集積工程で重ねた前記第１及び前記第２の帳票について、前記第２の端部から所定の長さの折り畳み範囲内で１回又は複数回折り返して前記第１及び前記第２の識別情報を最表面又は最裏面に表出させる折り返し工程と、
を含む帳票の丁合物の作製方法。
【請求項１１】
第１の帳票が有している第１の端部に設けられている第１の表出領域と前記第１の帳票と丁合いする第２の帳票が有している第２の端部に設けられている第２の表出領域とについて、前記丁合い時に最表面又は最裏面のうちで同一面に表出させる領域を確保し、前記第１及び前記第２の帳票を、それぞれ折り畳み幅の間隔を可変に１回又は複数回折り返す折り返し工程と、
前記第１の端部と前記第２の端部との距離を離し、前記第１及び前記第２の表出領域を表出させて、前記折り返し工程で折り返された前記第１の帳票と前記第２の帳票とを重ね、前記第１の表出領域に設けられていて前記第１の帳票の属性を示している第１の識別情報と前記第２の表出領域に設けられていて前記第２の帳票の属性を示している第２の識別情報とを同一面に表出させる集積工程と、
を含む帳票の丁合物の作製方法。
【発明の詳細な説明】
【技術分野】
【０００１】
本発明は、同一の名宛人に対して、個人情報を有する多数の帳票を名寄せする場合等に好適な帳票の丁合物，帳票の丁合物の作製装置及び帳票の丁合物の作製方法に関するものである。
【背景技術】
【０００２】
従来、この種の帳票の丁合物は、複数枚の連続帳票を移送しながら互いに対応する単位帳票毎に重ね合わせて丁合いする丁合用帳票において、当初トラクタ等の移送装置にセットした段階で、適正な連続帳票がセットされているか否かを判断するものが提案されている（例えば、特許文献１）。
しかし、この丁合用帳票は、丁合い前にしか各帳票を容易かつ正確に識別できないので、丁合い後に乱丁や落丁等を調べるのが困難であった。
【特許文献１】特開２０００−２２５７８６号公報
【発明の開示】
【発明が解決しようとする課題】
【０００３】
本発明の課題は、丁合い前のみならず丁合い後においても、所定の帳票が過不足なく正しい順序で揃っているか否かを容易に判別できる帳票の丁合物，その作製装置及びその作製方法を提供することである。
【課題を解決するための手段】
【０００４】
本発明は、以下のような解決手段により、前記課題を解決する。なお、理解を容易にするために、本発明の実施例に対応する符号を付して説明するが、これに限定されるものではない。
請求項１の発明は、第１の表出領域（１１ｂ）が設けられている第１の端部（１１ａ）を有している第１の帳票（１１）と、第２の表出領域（１２ｂ）が設けられている第２の端部（１２ａ）を有し、前記第２の表出領域が表出する位置まで前記第２の端部を前記第１の端部からずらし、前記第１の帳票に重ねられている第２の帳票（１２）と、前記第１の表出領域に設けられ、前記第１の帳票の属性を示している第１の識別情報（１１ｃ）と、前記第２の表出領域に設けられ、前記第１の識別情報とともに表出し、前記第２の帳票の属性を示している第２の識別情報（１２ｃ）と、を含む帳票の丁合物である。
請求項２の発明は、請求項１に記載の帳票の丁合物において、前記第１及び前記第２の帳票は、前記第２の端部から所定の長さの折り畳み範囲内で１回又は複数回折り返され、前記第１及び前記第２の識別情報が最表面又は最裏面に表出していること、を特徴とする帳票の丁合物である。
請求項３の発明は、請求項１又は請求項２に記載の帳票の丁合物において、前記第１の帳票と前記第２の帳票とを固定する固定手段（３１ｈ，３２ｈ）を有すること、を特徴とする帳票の丁合物である。
請求項４の発明は、請求項３に記載の帳票の丁合物において、前記第１の帳票及び／又は前記第２の帳票は、前記固定手段が形成される帳票固定領域（３１ｈ，３２ｈ）と、前記第１及び／又は前記第２の帳票から前記帳票固定領域を除いた領域である帳票本体領域（３１ｊ，３２ｊ）と、前記帳票固定領域と前記帳票本体領域とを分離する分離予定線（３１ｉ，３２ｉ）とを有すること、を特徴とする帳票の丁合物である。
請求項５の発明は、請求項４に記載の帳票の丁合物において、前記帳票固定領域は、前記第１及び前記第２の端部以外のいずれかの端部（３１ｇ，３２ｇ）に同一の位置で重なっていること、を特徴とする帳票の丁合物である。
請求項６の発明は、第１の表出領域（１１ｂ）を有している第１の帳票（１１）及び第２の表出領域（１２ｂ）を有していて前記第１の帳票と丁合いする第２の帳票（１２）をこの順に搬送する帳票搬送手段（２４）と、前記帳票搬送手段で搬送されている前記第１の帳票を、第１の停止位置（２２ｄ）で一旦停止させる第１の帳票停止手段（２２）と、前記丁合い時に前記第１及び前記第２の表出領域が表出する位置まで前記第１の帳票を移動させ、前記第１の停止位置と別の第２の停止位置（２２ｅ）に停止させる停止位置移動手段（２２）と、前記帳票搬送手段で搬送されている前記第２の帳票を前記第１の帳票に重ねて前記第１の停止位置で停止させる第２の帳票停止手段（２２）と、を含む帳票の丁合物の作製装置である。
請求項７の発明は、請求項６に記載の帳票の丁合い装置において、前記第１又は前記第２の停止手段で停止させられている前記第１及び前記第２の帳票を、前記第２の端部から所定の長さの折り畳み範囲内で１回又は複数回折り返し、前記第１及び前記第２の表出領域を最表面又は最裏面に表出させる折り返し手段（２３）を含むこと、を特徴とする帳票の丁合物の作製装置である。
請求項８の発明は、第１の表出領域（３１ｂ）を有している第１の帳票（３１）と第２の表出領域（３２ｂ）を有していて前記第１の帳票と丁合いする第２の帳票（３２）とをこの順に搬送する帳票搬送手段（４５）と、前記帳票搬送手段で搬送されている前記第１及び前記第２の帳票を、前記丁合い時に前記第１及び前記第２の表出領域が表出する位置で、それぞれ折り畳み幅の間隔を可変に１回又は複数回折り返す折り返し手段（４２）と、前記折り返し手段で折り返された前記第１の帳票を、第１の停止位置（４３ｄ）で一旦停止させる第１の帳票停止手段（４３）と、前記第１の停止位置から、前記丁合い時に前記第１及び前記第２の表出領域が表出する第２の停止位置（４３ｅ）まで、前記第１の帳票停止手段が移動する停止位置移動手段（４３）と、前記折り返し手段で折り返された前記第２の帳票を、前記第１の帳票に重ねて前記第２の停止位置で停止させる第２の帳票停止手段（４３）と、を含む帳票の丁合物の作製装置である。
請求項９の発明は、請求項６から請求項８までのいずれか１項に記載の帳票の丁合い装置において、位置可変に移動し、前記第１及び／又は前記第２の停止位置で、前記第１の帳票と前記第２の帳票とを固定する固定手段（４４）を含むこと、を特徴とする帳票の丁合物の作製装置である。
請求項１０の発明は、第１の帳票（１１）が有している第１の端部（１１ａ）と第２の帳票（１２）が有している第２の端部（１２ａ）との距離を離し、前記第１の端部に設けられている第１の表出領域（１１ｂ）と前記第２の端部に設けられている第２の表出領域（１２ｂ）とを同一側の面に表出させて前記第１の帳票と前記第２の帳票とを重ね、前記第１の表出領域に設けられていて前記第１の帳票の属性を示している第１の識別情報（１１ｃ）と前記第２の表出領域に設けられていて前記第２の帳票の属性を示している第２の識別情報（１２ｃ）とを表出させる集積工程（＃１０２）と、前記集積工程で重ねた前記第１及び前記第２の帳票について、前記第２の端部から所定の長さの折り畳み範囲内で１回又は複数回折り返して前記第１及び前記第２の識別情報を最表面又は最裏面に表出させる折り返し工程（＃１０３）と、を含む帳票の丁合物の作製方法である。
請求項１１の発明は、第１の帳票（３１）が有している第１の端部（３１ａ）に設けられている第１の表出領域（３１ｂ）と前記第１の帳票と丁合いする第２の帳票（３２）が有している第２の端部（３２ａ）に設けられている第２の表出領域（３２ｂ）とについて、前記丁合い時に最表面又は最裏面のうちで同一面に表出させる領域を確保し、前記第１及び前記第２の帳票を、それぞれ折り畳み幅の間隔を可変に１回又は複数回折り返す折り返し工程（＃２０１）と、前記第１の端部と前記第２の端部との距離を離し、前記第１及び前記第２の表出領域を表出させて、前記折り返し工程で折り返された前記第１の帳票と前記第２の帳票とを重ね、前記第１の表出領域に設けられていて前記第１の帳票の属性を示している第１の識別情報（３１ｃ）と前記第２の表出領域に設けられていて前記第２の帳票の属性を示している第２の識別情報（３２ｃ）とを同一面に表出させる集積工程（＃２０２）と、を含む帳票の丁合物の作製方法である。
【発明の効果】
【０００５】
以上説明したように、本発明によれば、以下のような効果がある。
（１）本発明による帳票の丁合物は、第１及び第２の帳票が重なった状態で第１及び第２の識別情報が表出しているので読み取りが容易で、丁合い後に第１の帳票と第２の帳票とをそれぞれ識別でき、また、乱丁や落丁等を容易に調べることができる。
さらに、所定の長さの折り畳み範囲内で折り返されているので、所定の大きさの袋状物に封入でき、別途多様な大きさの袋状物の用意を要さない。
さらにまた、固定手段を有するので、落丁を防止できる。
（２）本発明による帳票の丁合物は、帳票固定領域と帳票本体領域とを分離する分離予定線を有するので、所定の帳票本体領域を丁合物から分離できる。
また、帳票固定領域がいずれかの端部でそろって重なっているので、帳票固定領域と帳票本体領域とを一括で分離できる。
（３）本発明による帳票の丁合物の作製装置は、第１の停止位置で停止している第１の帳票を移動させ、第１の停止位置と別の第２の停止位置に停止させるので、第１及び第２の表出領域を表出させて第１及び第２の帳票を集積できる。
（４）本発明による帳票の丁合物の作製装置は、折り畳み幅の間隔を可変に１回又は複数回折り返す折り返し手段を有しているので、丁合い時に第１及び第２の表出領域を表出させることができる。
また、位置可変の固定手段を有するので、大きさの異なる各帳票を所定の位置で固定できる。
（５）本発明による帳票の丁合物の作製方法は、第１及び第２の表出領域を同一側の面に向け、第１及び第２の識別情報を最表面又は最裏面に表出させて第１及び第２の帳票を重ねるので、帳票の丁合い前及び丁合い後に第１及び第２の識別情報を容易に読み取ることができ、第１及び第２の帳票を識別できる。
また、折り幅の間隔を可変に１回又は複数回折り返してから、第１及び第２の表出領域を同一側の面に向けるので、折り回数が異なって第１及び第２の表出領域が同一側の面に向いていなくても、第１及び第２の識別情報を同一側の面に向けて第１及び第２の帳票を重ねることができる。
【発明を実施するための最良の形態】
【０００６】
本発明は、丁合い前のみならず丁合い後においても、所定の帳票が過不足なく正しい順序で揃っているか否かを容易に判別できるという目的を、帳票１１〜１３が天端部１１ａ〜１３ａの位置をずらして重なり、帳票１１〜１３の属性を示す識別情報１１ｃ〜１３ｃが最表面にそろって表出している帳票の丁合物１０によって実現する。
【実施例１】
【０００７】
以下、図面等を参照して、本発明の実施例をあげて、さらに詳しく説明する。
図１は、本発明による帳票の丁合物の実施例１を示す斜視図であって、図１（ａ）は、正面斜視図、図１（ｂ）は、背面斜視図である。
帳票の丁合物１０は、帳票１１と、帳票１２と、帳票１３とを１セットとして備えている。
【０００８】
帳票１１は、天端部１１ａと、天端部１１ａに設けられている表出領域１１ｂと、表出領域１１ｂに表示されていて帳票１１の属性を示す識別情報１１ｃと、折り返し線１１ｄ１〜１１ｄ３等とを備えている。
帳票１２，１３も帳票１１と同様に、天端部１２ａ，１３ａと、表出領域１２ｂ，１３ｂと、識別情報１２ｃ，１３ｃと、折り返し線１２ｄ１〜１２ｄ３，１３ｄ１〜１３ｄ３等とを備えている。
【０００９】
丁合物１０は、天端部１１ａ〜１３ａの位置をずらした状態で、帳票１１〜１３が重ねられている。
また、丁合物１０は、識別情報１１ｃ〜１３ｃが、各帳票１１〜１３の最表面で揃って表出している。
【００１０】
さらに、丁合物１０は、天端部１３ａから天地方向に長さｘ１の位置に形成されている折り返し線１１ｄ１〜１３ｄ１，１１ｄ３〜１３ｄ３と、天端部１３ａで揃って重なっている折り返し線１１ｄ２〜１３ｄ２とを有しており、全帳票１１〜１３が重ねられた状態で３回折り返されて形成されている。
【００１１】
また、図１（ｂ）に示すように、最裏面に送付先の住所氏名等を示す宛名情報１１ｆが表出している。
【００１２】
なお、識別情報１１ｃ〜１３ｃは、バーコードで表示されており、各帳票１１〜１３に表示されている内容の概略と、各帳票１１〜１３が丁合物１０に互いに属するという情報と、丁合物１０内に位置付けられる各帳票１１〜１３の順序等とを示している。
【００１３】
図２から図４は、丁合物１０の作製装置及び作製工程を示す図であって、図２は、作製装置を示す模式図、図３は、作製工程図、図４Ａ，４Ｂは、作製装置を示す模式図である。
なお、図２（ｂ），図４Ａ（ｂ），図４Ｂ（ｄ）は、丁合物１０の製造装置の集積部の１部を抜き出した拡大図である。
図２に示すように、丁合物１０の作製装置２０は、バースター（不図示）等を備えていて連続帳票を切断して作製した枚葉状の帳票１１〜１３を供給する（＃１０１）切断供給部２１と、集積コロ２２ａとポケット部２２ｂとストッパー２２ｃ等とを備えていて帳票１１〜１３をずれた状態で重ねて集積する（＃１０２）集積部２２と、折りローラ２３ａと羽根板２３ｂ等とを備えていて集積した帳票１１〜１３を折り返す（＃１０３）折り部２３と、丸ベルト２４ａ等を備えていて帳票１１〜１３や集積した状態の帳票１１〜１３等を搬送する帳票搬送部２４等とを備えている。
【００１４】
図３（ａ）は、帳票１１〜１３を作製する前の連続帳票１０Ｂを示す図である。
連続帳票１０Ｂは、帳票１１〜１３となる領域と、連続帳票１０Ｂの搬送方向（矢印ｙ方向）に略垂直の方向に形成されていて、これらの領域の境界を切断する切断予定線１１ｅ，１２ｅ等とを備えている。
【００１５】
帳票１１〜１３となる領域は、切断予定線１１ｅ，１２ｅ等を介して連接していて、それぞれ識別情報１１ｃ〜１３ｃが印刷されている。
また、丁合物１０形成時に最裏面に表出する部分である帳票１１の左下の部分に宛名情報１１ｆが印刷されている。
【００１６】
次に、各部の構成とともに、実施例１による丁合物１０の作製方法を説明する。
切断供給部２１は、バースター（不図時）を用いて連続帳票１０Ｂを切断予定線１１ｅ，１２ｅ等で切断し、図３（ｂ）に示すように、帳票１１〜１３を作製する。
また、切断供給部２１は、識別情報１１ｃ〜１３ｃが表示されている面を全て下面にして、帳票１１〜１３をこの順で供給する（＃１０１）。
【００１７】
帳票搬送部２４は、丸ベルト２４ａ等を用いて、切断供給部２１から供給された帳票１１〜１３を上下から挟み、この順で搬送する。
【００１８】
集積部２２は、帳票１１を、帳票搬送の順方向（矢印ｚ方向）に回転している集積コロ２２ａを用いて下面から持ち上げ、上面から接している丸ベルト２４ａとで挟んで搬送する。
また、集積部２２は、図２（ｂ）に示すように、帳票１１を、搬送路より低位置に設けられているポケット部２２ｂに移動させ、停止しているストッパー２２ｃが設けられている停止位置２２ｄで停止させる。
【００１９】
なお、集積コロ２２ａと停止位置２２ｄとの距離であるポケット部２２ｂの搬送方向長さは、帳票１１〜１３の天地方向長さと同一の長さに設定されている。
集積部２２は、図４Ｂ（ｄ）に示すように、帳票１１と同様に帳票１２も停止位置２２ｄで停止させる。
【００２０】
また、集積部２２は、帳票１２を停止位置２２ｄで停止させる前に、図４Ａ（ｂ）に示すように、ストッパー２２ｃを矢印ｚ方向に回転させて帳票１１を停止位置２２ｄから停止位置２２ｅに移動させる。
この移動距離は、表出領域１２ｂが表出する位置まで、天端部１１ａを天端部１２ａからずらして移動させた距離と同じ距離である。
【００２１】
集積部２２は、帳票１２を停止位置２２ｄで停止させる場合の帳票１１と同様に、帳票１１，１２を一緒に移動させて帳票１３も停止位置２２ｄで停止させ、図３（ｃ）に示すように、識別情報１１ｃ〜１３ｃを同一側の面に表出させて帳票１１〜１３を集積する（＃１０２）。
【００２２】
なお、図３（ｃ）は、集積された帳票１１〜１３を下面から見た平面図であって、集積された帳票１１〜１３の天地方向長さは、帳票１１単独の天地方向長さよりも、表出領域１２ｂ，１３ｂの天地方向長さの合計分だけ長い。
【００２３】
折り部２３は、丁合物１０を所定の大きさの封筒に封入するため、集積された帳票１１〜１３を、折りローラ２３ａを用いて羽根板２３ｂに送り、羽根板２３ｂを用いて、天端部１３ａから封筒の大きさに応じた所定の長さの折り畳み範囲内で、天地方向に４等分する位置に形成した折り返し線１１ｄ１〜１３ｄ１，１１ｄ２〜１３ｄ２，１１ｄ３〜１３ｄ３に沿って折り返し（＃１０３）、識別情報１１ｃ〜１３ｃを帳票１１〜１３の最表面に揃って表出させる。
【００２４】
また、丁合物１０の天地方向長さを抑制し、折り返しによる厚みの増加を抑制するため、集積した帳票１１〜１３について、折り返し線間隔を長くして天地方向に４等分した位置に折り返し線１１ｄ１〜１３ｄ１，１１ｄ２〜１３ｄ２，１１ｄ３〜１３ｄ３を形成している。
【００２５】
ここで、実施例１の折り返し線間隔の条件について、説明する。
３枚の帳票１１〜１３を重ねて１セットとし、天地方向に４等分する場合は、帳票１１〜１３の天地方向長さをｍ、表出領域１１ｂ〜１３ｂの天地方向長さをｎ、折り返し線間隔をｏ、集積されていて折るべき帳票のセットの天地方向の全長をｐとすると、次式、
ｐ＝ｍ＋２ｎ
ｏ＝ｐ／４
を用いて、折り返し線間隔ｏが算出される。
ただし、ｍ≧１０ｎ
を用いて算出する。
【００２６】
バーコードリーダ（不図示）によって、最表面に揃って表出している識別情報１１ｃ〜１３ｃを読み取ると、帳票１１〜１３を識別でき、丁合物１０に所定の帳票が過不足なく正しい順序で揃っているか否かを容易に判別できる。
【００２７】
以上により、実施例１によれば、帳票１１〜１３がずれ重なっていて、帳票１１〜１３の最表面に識別情報１１ｃ〜１３ｃが揃って表出しているので、丁合後に、帳票１１〜１３が過不足なく正しい順序で揃っているか否かを容易に判別することが可能となった。
【００２８】
実施例１による帳票の丁合物１０の作製装置２０によれば、表出領域１２ｂが表出する位置まで、先に集積され停止している帳票１１を移動させてから帳票１２を集積し、また、同様にして、先に集積され停止している帳票１１，１２を移動させてから帳票１３を集積する集積部２２を備えているので、表出領域１１ｂ〜１３ｂを帳票１１〜１３の最表面に表出させることが可能となった。
【００２９】
実施例１による帳票の丁合物１０の作製方法によれば、表出領域１１ｂ〜１３ｂを表出させて帳票１１〜１３を集積するので、識別情報１１ｃ〜１３ｃが帳票１１〜１３の最表面に表出している帳票の丁合物１０の作製が可能となった。
【実施例２】
【００３０】
図５は、本発明の実施例２による帳票の丁合物３０を示す図であって、図５（ａ）は、平面図、図５（ｂ）は、側面図である。
なお、前述した実施例１と同様な機能を果たす部分には、同一の符号又は末尾に統一した符号を付して、重複する説明や図面を適宜省略する。
丁合物３０は、帳票３１と、帳票３２と、帳票３３とを、１セットとして備えている。
【００３１】
帳票３１は、天端部３１ａと、表出領域３１ｂと、識別情報３１ｃと、折り返し線３１ｄ１〜３１ｄ４と、地端部３１ｇと、固定領域３１ｈ等とを備えている。
帳票３２も、帳票３１と同様に、天端部３２ａと、表出領域３２ｂと、識別情報３２ｃと、折り返し線３２ｄ１〜３２ｄ４と、地端部３２ｇと、固定領域３２ｈ等とを備えている。
帳票３３は、天端部３３ａと、表出領域３３ｂと、識別情報３３ｃと、折り返し線３３ｄ１，３３ｄ２と、地端部３３ｇと、固定領域３３ｈ等とを備えている。
【００３２】
丁合物３０は、天端部３３ａから天地方向に長さｘ２の位置に形成されている折り返し線３１ｄ１〜３３ｄ１，３１ｄ３〜３３ｄ３と、天端部３３ａに重ねて形成されている折り返し線３３ｄ２と、天端部３２ａより下部に形成されている折り返し線３２ｄ２，３２ｄ４と、天端部３１ａより下部に形成されている折り返し線３１ｄ２，３１ｄ４等とを有しており、帳票３１〜３３がそれぞれ折り返されて天端部３１ａ〜３３ａの位置をずらして重ねられて形成されている。
【００３３】
また、丁合物３０は、接着剤を塗布されている固定部を有する固定領域３１ｈ〜３３ｈが地端部３１ｇ〜３３ｇで揃って重なっており、帳票３１〜３３が固定されている。
【００３４】
さらに、丁合物３０は、帳票３１〜３３のうち固定領域３１ｈ〜３３ｈを除いた部分である帳票本体３１ｊ〜３３ｊ（図７参照）と、固定領域３１ｈ〜３３ｈとを分離するミシン目３１ｉ〜３３ｉ（図７参照）が天端部３３ａから長さｘ２の位置に形成されている。
【００３５】
図６から図８は、丁合物３０の作製装置及び作製工程を示す図であって、図６は、作製装置を示す模式図、図７は、作製工程図、図８Ａ，８Ｂ，８Ｃは、作製装置を示す模式図である。
なお、図６（ｂ）は、丁合物３０の製造装置の折り部の１部を抜き出した拡大図、図６（ｃ），図８Ａ（ｂ），図８Ｂ（ｄ），図８Ｃ（ｆ）は、集積部や接着部の１部を抜き出した拡大図である。
図６に示すように、丁合物３０の作製装置４０は、カッター方式の断裁機（不図示）等を備えていて連続帳票を切断して作製した枚葉状の帳票３１〜３３を供給する切断供給部４１と、折りローラ４２ａと羽根板４２ｂと折り位置調節機構４２ｃ等とを備えていて帳票搬送部４５によって搬送されてきた帳票３１〜３３をこの順でそれぞれ折り返す（＃２０１）折り部４２と、集積コロ４３ａとポケット部４３ｂとストッパー４３ｃ等とを備えていて折り部４２の動作と連動して折り部４２で折り返された帳票３１〜３３をずれた状態で重ねて集積する（＃２０２）集積部４３と、グルアガン４４ａ等を備えていて集積部４３の動作と連動して帳票１１〜１３を接着する接着部４４と、丸ベルト４５ａ等を備えていて帳票３１〜３３を折り部４２や集積部４３等に搬送する帳票搬送部４５等とを備えている。
【００３６】
図７（ａ）は、連続帳票３０Ｂを示す図であって、丁合物形成時に最表面に表出する部分である帳票３１の領域の左上の部分に、宛名情報３１ｆが印刷されている。
【００３７】
次に、各部の構成とともに、実施例２による丁合物３０の作製方法を説明する。
切断供給部４１は、カッター方式の断裁機を用いて、連続帳票３０Ｂに予め形成されているミシン目３１ｉ〜３３ｉの非形成位置で連続帳票３０Ｂを切断する。
【００３８】
折り部４２は、モーター等を有する折り位置調節機構４３ｂを用いて折りローラ４２ａと羽根板４２ｂとの距離をα方向に伸縮可能で、図６（ｂ）に示すように、丁合物３０形成時に表出領域３２ｂが表出する領域を確保し、地端部３２ｇと地端部３１ｇとが揃って重なるように、折り返し線間隔を調節して形成した折り返し線３１ｄ１〜３１ｄ４に沿って帳票３１を順次折り返す（＃２０１）。
【００３９】
また、折り部４２は、同様に、帳票３２についても、折り返し線間隔を調節して形成した折り返し線３２ｄ１〜３２ｄ４に沿って順次折り返す（＃２０１）。
【００４０】
さらに、折り部４２は、帳票３３についても、丁合物３０形成時に地端部３３ｇと地端部３１ｇ，３２ｇとが揃って重なるように形成した折り返し線３３ｄ１，３３ｄ２に沿って順次折り返す（＃２０１）。
なお、所定の大きさの封筒に封入するため、折り返し線間隔を長くすることで折り返し回数を抑制して折り返しによる厚みの増加を防止し、また、折り返し線３３ｄ２を天端部３３ａと重なる位置に形成し、地端部３１ｇ〜３３ｇをそろえて重ね、丁合物３０の天地方向長さを抑制している。
【００４１】
集積部４３は、図６（ｃ）に示すように、帳票３１を、停止しているストッパー４３ｃが設けられている停止位置４３ｄで停止させる。
集積コロ４３ａと停止位置４３ｄとの距離であるポケット部４３ｂの搬送方向長さは、折り部４２で折り返された帳票３１の天地方向長さと同一の長さに設定されている。
【００４２】
接着部４４は、図８Ａ（ｂ）に示すように、ストッパー４３ｃの動作と連動してγ方向に移動するグルアガン４４ａを用いて、停止位置４３ｄで固定領域３１ｈに接着剤を塗布する（＃２０３）。
【００４３】
また、集積部４３は、帳票３２を集積する前に、図８Ｂ（ｄ）に示すように、ストッパー４３ｃをβ方向に移動させて帳票３１を停止位置４３ｄから停止位置４３ｅまで移動させる。
この移動距離は、表出領域３２ｂが表出する位置まで、天端部３１ａを天端部３２ａからずらして移動させた距離と同じ距離であって、ポケット部４３ｂの搬送方向長さは、集積コロ４３ａと停止位置４３ｅとの距離に拡張され、折り部４２で折り返された帳票３２の天地方向長さと同一の長さとなる。
【００４４】
さらに、集積部４３は、図８Ｃ（ｆ）に示すように、帳票３１と同様にして停止位置４３ｅで帳票３２を停止させて地端部３１ｇ，３２ｇを揃えて重ね、識別情報３１ｃ，３２ｃを同一側の面に表出させて集積する（＃２０２）。
【００４５】
接着部４４は、移動して停止位置４３ｅで帳票３２に接着剤を塗布する（＃２０３）。
集積部４３は、ストッパー４３ｃで帳票３１，３２を停止位置４３ｅから一緒に移動させた後、帳票３２と同様にして帳票３３を集積する（＃２０２）。
【００４６】
なお、帳票３１〜３３毎に折り返し線の形成数が偶数や奇数で異なる場合等は、折り返し線形成後に表出領域３１ｂ〜３３ｂが同一面側に向いていないこともあり得るが、その場合には、帳票搬送部４５が表出領域３１ｂ〜３３ｂを同一面側に向けて帳票３１〜３３を集積部４３へ搬送する。
【００４７】
ここで、実施例２の折り返し線間隔の条件について、説明する。
３枚の帳票３１〜３３を重ねて１セットとし、帳票３１〜３３の天地方向長さをｍ、表出領域３１ｂ〜３３ｂの天地方向長さをｎ、折り返し線間隔をｏ、固定領域３１ｈ〜３３ｈの天地方向長さをｑ、折り返し線の形成数をｒとする。
【００４８】
帳票３３について、端部３３ａと折り返し線３３ｄ１との間隔をｏ（１）、折り返し線の形成数をｒ（１）とすると、次式、
ｏ（１）＝（ｍ−ｑ）／（ｒ（１）＋１）
ただし、ｒ（１）＝２
を用いて、折り返し線間隔ｏ（１）が算出される。
また、折り返し線３３ｄ１と折り返し線３３ｄ２との間隔、折り返し線３３ｄ２とミシン目３３ｉとの間隔もｏ（１）に等しい。
【００４９】
帳票３２について、端部３２ａと折り返し線３２ｄ１との間隔をｏ（２）とすると、
ｏ（２）＝ｏ（１）−ｎ
を用いて、折り返し線間隔ｏ（２）が算出される。
【００５０】
また、折り返し線３２ｄ１と折り返し線３２ｄ２との間隔をｏ（３）、折り返し線の形成数をｒ（２）とすると、
ｏ（３）＝（ｍ−ｏ（２）−ｑ）／ｒ（２）
ただし、ｒ（２）＝４，ｏ（２）≧ｏ（３）
を用いて、折り返し線間隔ｏ（３）が算出される。
さらに、折り返し線３２ｄ２と折り返し線３２ｄ３との間隔、折り返し線３２ｄ３と折り返し線３２ｄ４との間隔、折り返し線３２ｄ４とミシン目３２ｉとの間隔もｏ（３）に等しい。
【００５１】
帳票３１について、端部３１ａと折り返し線３１ｄ１との間隔をｏ（４）とすると、
ｏ（４）＝ｏ（２）−ｎ
を用いて、折り返し線間隔ｏ（４）が算出される。
【００５２】
また、折り返し線３１ｄ１と折り返し線３１ｄ２との間隔をｏ（５）、折り返し線の形成数をｒ（３）とすると、
ｏ（５）＝（ｍ−ｏ（４）−ｑ）／ｒ（３）
ただし、ｒ（３）＝４，ｏ（４）≧ｏ（５）
を用いて、折り返し線間隔ｏ（５）が算出される。
さらに、折り返し線３１ｄ２と折り返し線３１ｄ３との間隔、折り返し線３１ｄ３と折り返し線３１ｄ４との間隔、折り返し線３１ｄ４とミシン目３１ｉとの間隔もｏ（５）に等しい。
【００５３】
実施例２の丁合物３０によれば、実施例１の効果に加えて、固定領域３１ｈ〜３３ｈで固定されているので落丁を防止でき、また、帳票本体３１ｊ〜３３ｊと固定領域３１ｈ〜３３ｈとを分離するミシン目３１ｉ〜３３ｉを有しているので、帳票本体３１ｊ〜３３ｊの個別分離や一括分離が可能となった。
【００５４】
さらに、折り返されて天地方向長さが異なっている帳票３１〜３３をそれぞれ識別できるので、別工程で個人情報等を付加した他の同封物とのマッチングをとりながら丁合いすることも可能となり、容易に付加価値を付けることが可能となった。
【００５５】
実施例２の丁合物３０の作製装置４０によれば、折りローラ４２ａと羽根板４２ｂとの距離を位置調節機構４２ｃ.を用いて変更できるので、表出領域３１ｂ〜３３ｂの天地方向長さ等に応じて、折り返し線間隔を調節して折り返し線を形成することが可能となった。
【００５６】
また、表出領域３１ｂ〜３３ｂの天地方向長さに応じてストッパー４３ａが移動するので、天地方向長さが異なっている帳票３１〜３３でも、表出領域３１ｂ〜３３ｂを表出させ、識別情報３１ｃ〜３３ｃを表出させて集積することや、地端部３１ｇ〜３３ｇで揃えて重ねることが可能となった。
【００５７】
さらに、グルアガン４４ａがストッパー４３ｃの動作に連動するので、天地方向長さが異なっている折り返された帳票３１〜３３でも、揃って重なっている地端部３１ｇ〜３３ｇへ固定領域３１ｈ〜３３ｈを形成することが可能となった。
【００５８】
実施例２による丁合物３０の作製方法によれば、折り返して天地方向長さを非同一にした帳票３１〜３３でも、地端部３１ｇ〜３３ｇを揃えて重ねるので、丁合い時に、封筒の大きさに応じて天地方向に所定の長さで形成でき、多様な大きさの封筒を用意することなく封入ができることとなった。
【００５９】
また、連続帳票３０Ｂに予め形成されているミシン目３１ｉ〜３３ｉの非形成位置で連続帳票３０Ｂを切断するので、別途ミシン目３１ｉ〜３３ｉを帳票３１〜３３に形成する工程を省くことができた。
【００６０】
（変形例）
以上説明した実施例に限定されることなく、種々の変形や変更が可能であって、それらも本発明の均等の範囲内である。
例えば、実施例１において、３枚の帳票１１〜１３を重ねて１セットとし、天地方向に４等分する場合の折り返し線間隔ｏを算出しているが、これに限定されず、ｓ枚の帳票を重ねて１セットとし、天地方向にｒ＋１等分する場合（天地方向に折り返し線をｒ本形成する場合）は、次式、
ｐ＝ｍ＋（ｓ−１）ｎ
ｏ＝ｐ／（ｒ＋１）
を用いて折り返し線間隔ｏを算出してもよい。
ただし、ｍ≧（ｒｓ＋１）ｎ
を用いて算出する。
【００６１】
実施例２において、接着部４４でグルアガン４４ａを用いて帳票３１〜３３を接着しているが、接着位置は、停止位置４３ｄ，４３ｅに限定されず、また、帳票３１〜３３の接着が可能であれば、帳票３２の端部の裏表面にのみ接着剤を塗布するなど、帳票３１〜３３毎に接着剤を塗布しなくてもよい。
さらに、ステッチャを用いて針金を貫通させるなどして帳票３１〜３３を固定してもよい。
さらにまた、グルアガンやステッチャ等が実施例１による丁合物の作製装置２０に設けられていてもよい。
【図面の簡単な説明】
【００６２】
【図１】本発明の実施例１による帳票の丁合物１０を示す斜視図である。
【図２】本発明の実施例１による丁合物１０の作製装置２０を示す模式図である。
【図３】本発明の実施例１による丁合物１０の作製工程を示す図である。
【図４Ａ】本発明の実施例１による丁合物１０の作製装置２０を示す模式図である。
【図４Ｂ】本発明の実施例１による丁合物１０の作製装置２０を示す模式図である。
【図５】本発明の実施例２による帳票の丁合物３０を示す図である。
【図６】本発明の実施例２による丁合物３０の作製装置４０を示す模式図である。
【図７】本発明の実施例２による丁合物３０の作製工程を示す図である。
【図８Ａ】本発明の実施例２による丁合物３０の作製装置４０を示す模式図である。
【図８Ｂ】本発明の実施例２による丁合物３０の作製装置４０を示す模式図である。
【図８Ｃ】本発明の実施例２による丁合物３０の作製装置４０を示す模式図である。
【符号の説明】
【００６３】
１０，３０    帳票の丁合物
１１，１２，１３，３１，３２，３３    帳票
２０，４０    帳票の丁合物の作製装置
２１，４１    切断供給部
２２，４３    集積部
２３，４２    折り部
２４，４５    帳票搬送部
４４    接着部
【図１】
2006056141.tif 000003
【図２】
2006056141.tif 000004
【図３】
2006056141.tif 000005
【図４Ａ】
2006056141.tif 000006
【図４Ｂ】
2006056141.tif 000007
【図５】
2006056141.tif 000008
【図６】
2006056141.tif 000009
【図７】
2006056141.tif 000010
【図８Ａ】
2006056141.tif 000011
【図８Ｂ】
2006056141.tif 000012
【図８Ｃ】
2006056141.tif 000013